【手続補正書】
【提出日】平成24年7月31日(2012.7.31)
【手続補正１】
【補正対象書類名】特許請求の範囲
【補正対象項目名】全文
【補正方法】変更
【補正の内容】
【特許請求の範囲】
【請求項１】
第１の骨と第２の骨との間において、関節の自然な回転軸と一直線になるように、前記関節の前記第１の骨における第１の部分に挿入される回転軸部と、
バーおよび前記バーの周囲に回転自在に装填される搭載部を備え、留め具によって前記第２の骨に装着可能なプレートと、
前記回転軸部と前記装着部との間に配置されるネック部と、
を備えることを特徴とする内部関節安定器。
【請求項２】
請求項１に記載の内部関節安定器において、前記回転軸部および前記ネック部のうち少なくとも１つは、前記プレートに対して回転可能である、内部関節安定器。
【請求項３】
請求項２に記載の内部関節安定器において、前記搭載部のターレットは、前記搭載部の基部に対して回転可能であり、前記ネックは、前記ターレットに装着され、前記基部は、前記バーの周囲に回動可能に搭載された、内部関節安定器。
【請求項４】
請求項３に記載の内部関節安定器において、前記ネックは、前記ターレットに対して長手方向に移動可能である、内部関節安定器。
【請求項５】
請求項２に記載の内部関節安定器において、前記ネック部は、前記プレートに対して前記回転軸を移動するための固定可能なスイベル継手を備えた、内部関節安定器。
【請求項６】
請求項２に記載の内部関節安定器において、前記搭載部は、また、前記バーに沿って活動可能である、内部関節安定器。
【請求項７】
第１の骨と第２の骨との間において、関節の自然な回転軸と一直線になるように、前記関節の前記第１の骨における第１の部分に挿入される回転軸部と、
留め具によって前記第２の骨に装着される部分と、
前記回転軸部と前記装着部との間に配置されるネック部と、
を備えることを特徴とする内部関節安定器。
【請求項８】
請求項７に記載の内部関節安定器において、前記装着部はプレートを備える、内部関節安定器。
【請求項９】
請求項７に記載の内部関節安定器において、回転軸の位置を、前記ネックに対して移動可能に構成した、内部関節安定器。
【請求項１０】
請求項９に記載の内部関節安定器において、前記ネックおよび前記回転軸を、固定可能なスイベル継手によって接続するように構成された、内部関節安定器。
【請求項１１】
請求項７に記載の内部関節安定器において、前記ネック部の位置は、前記装着部に対して移動可能である、内部関節安定器。
【請求項１２】
請求項１１に記載の内部関節安定器において、前記装着部は、搭載部を有するプレートを備えており、前記ネックは、前記搭載部に装着された、内部関節安定器。
【請求項１３】
請求項１２に記載の内部関節安定器において、前記ネックは、前記搭載部内において回転可能であり、前記搭載部に対して直線的に移動可能である、内部関節安定器。
【請求項１４】
請求項１２に記載の内部関節安定器において、前記搭載部は、固定要素を備えており、
前記固定要素が第１の位置にあるときは、前記搭載部が前記プレートに対して回転可能であり、前記固定要素が第２の位置にあるときは、前記搭載部の動作が固定される、内部関節安定器。
【請求項１５】
請求項１４に記載の内部関節安定器において、前記固定要素は、セットねじを備えており、
前記第１の位置は、緩めた位置であり、前記第２の位置は、前記セットねじを完全に締めた位置である、内部関節安定器。
【請求項１６】
請求項１４に記載の内部関節安定器において、前記固定要素は、更に、前記第２の位置にあるときは、前記搭載部に対してネックの動作を妨げる、内部関節安定器。
【請求項１７】
請求項１２に記載の内部関節安定器において、前記搭載部は、前記プレートにネックを搭載するためのターレット手段を備えた、内部関節安定器。
【請求項１８】
請求項１７に記載の内部関節安定器において、前記ターレット手段は、前記プレートに対して回転移動可能なターレット部を備えた、内部関節安定器。
【請求項１９】
請求項１７に記載の内部関節安定器において、前記プレートは、バーを備えており、前記ターレット手段は、前記バーの周囲に回動可能に搭載された、内部関節安定器。
【請求項２０】
請求項１９に記載の内部関節安定器において、前記ターレット手段は、更に、前記バーに沿って移動可能である、内部関節安定器。
【請求項２１】
請求項１９に記載の内部関節安定器において、前記ターレット手段は、前記バーの長さに渡って延在する軸に対して垂直な軸を中心に回転する部分を備えた、内部関節安定器。
【請求項２２】
請求項７に記載の内部関節安定器において、内部関節安定器は、キットの一部であり、前記キットは、内部関節安定器の前記回転軸およびネックを選択するための、種々の形状および／または種々の長さを備えた複数のネックと、種々の直径および／または種々の長さを備えた複数の回転軸のうち少なくとも１つを備えた、内部関節安定器。
【請求項２３】
請求項７に記載の内部関節安定器において、少なくとも前記回転軸部と前記ネック部は、ピンまたはワイヤで形成された、内部関節安定器。
【請求項２４】
請求項７に記載の内部関節安定器において、前記内部関節安定器の少なくとも一部は、生体吸収性を有する、内部関節安定器。
【請求項２５】
関節の回転軸を位置決めするためのガイド装置であり、
ハンドル部と、
前記ハンドル部に装着され、外縁を形成する中心位置決め部と、
骨を貫通する穴を有し、取り外し可能なアライメントスリーブとを備え、
前記ハンドル部は、前記穴を貫通する軸が、前記外縁の内部を通って延在するように、前記取り外し可能なアライメントスリーブを受ける穴を備えることを特徴とするガイド装置。
【請求項２６】
請求項２５に記載のガイド装置において、前記中心位置決め部の外縁は、円の円弧の部分である、ガイド装置。
【請求項２７】
請求項２５に記載のガイド装置において、前記中心位置決め部は、特に上腕骨滑車に係合する、ガイド装置。
【請求項２８】
請求項２５に記載のガイド装置において、前記取り外し可能なアライメントスリーブは、カニューレ状延長ピンを備えた、ガイド装置。
【請求項２９】
請求項２５に記載のガイド装置において、前記取り外し可能なアライメントスリーブは、前記取り外し可能なアライメントスリーブを前記ハンドルと固定可能に係合する固定機構を備えた、ガイド装置。
【請求項３０】
請求項２９に記載のガイド装置において、前記固定機構は、ノブによって動作し、前記開口部の一部を係合し、前記開口部内で前記取り外し可能なアライメントスリーブを固定するカムを備えた、ガイド装置。
【請求項３１】
関節を安定化するためのシステムであって、前記システムは、内部関節安定キットを備え、
前記内部関節安定キットは、内部安定器と、関節の自然な回転軸を位置決めするためのガイドとを備え、
前記内部安定器は、回転軸と、ネック部と、取付け部とを備え、
前記ガイドは、ハンドル部と、前記ハンドル部に装着され、外縁を形成する中心位置決め部と、貫通する穴を有するアライメントスリーブであって、前記穴を貫通する軸が前記外縁の内部を通って延在するように前記貫通する穴を有するアライメントスリーブとを備える
ことを特徴とするシステム。
【請求項３２】
請求項３１に記載のシステムにおいて、前記ネックは、ターレット手段で前記装着部に接続された、システム。
【請求項３３】
請求項３１に記載のシステムにおいて、前記中心位置決め部の外周は、円の中の円弧である、システム。
【請求項３４】
請求項３１に記載のシステムにおいて、前記キットは、前記内部関節安定器の前記回転軸およびネックを選択するための、種々の形状および／または種々の長さを備えた複数のネックと、種々の直径および／または種々の長さを備えた複数の回転軸のうち少なくとも１つを備えた、システム。